【事件の表示】
　特願２００７−５０５６８０号「コーヒーメーカーのボイラを動作させるための方法」拒絶査定不服審判事件〔２００５年１０月１３日国際公開、ＷＯ２００５／０９４６４４、平成１９年１１月　１日国内公表、特表２００７−５３０９１０号〕について、次のとおり審決する。
【結　論】
　本件審判の請求は、成り立たない。
【理　由】
１．手続の経緯  
　本願は、２００５年３月１７日 （パリ条約による優先権主張外国庁受理２００４年３月３１日、欧州特許庁）を国際出願日とする出願であって、平成２５年４月２日付けで拒絶査定がなされ、これに対し、平成２５年８月２日に拒絶査定不服審判の請求がなされ、当審で、平成２６年４月１０日付けの拒絶理由の通知がなされ、これに対し平成２６年１０月１０日に意見書及び手続補正書の提出がなされたものである。
      　
２．本願発明
　本願の特許請求の範囲の請求項１に係る発明（以下「本願発明」という。）は、平成２６年１０月１０日の手続補正により補正された特許請求の範囲、明細書及び図面の記載からみて、その特許請求の範囲の請求項１に記載された以下のとおりのものと認める。
　                　
「コーヒーメーカーの、水を収容するための容器及び前記水を所定の温度まで加熱するための加熱素子を有するボイラを動作させるための方法において、
１）所定の長さの時間、前記ボイラの前記加熱素子を稼動させる第１のステップと、
２）前記ボイラによって前記加熱素子の前記稼動の結果として示される温度特性のうち少なくとも１つの特性を測定する第２のステップと、
３）前記測定された特性が、水で満たされたボイラの温度特性に関連した範囲内にあるのか又は空のボイラの温度特性に関連した範囲内にあるのかを確認する第３のステップと、
４）前記測定された特性が空のボイラの温度特性に関連した前記範囲内にあるようである場合にのみ、前記ボイラが空の状態で前記加熱素子を作動させない態様で、前記ボイラの前記容器を所定の量の水で満たす第４のステップと、
５）前記ボイラの前記加熱素子を稼動させて前記ボイラの前記容器内の前記水を前記所定の温度まで加熱する第５のステップと、
の連続的なステップを有する方法。」
                                      　
３．引用発明
　これに対して、当審で通知した拒絶理由に引用された本願優先日前に頒布された刊行物である特開平１１−１４１９９０号公報（以下「引用例１」という。）及び欧州特許出願公開第０１３９３９５号明細書（以下「引用例２」という。）には、それぞれ図面とともに次の事項が記載されている（下線は当審で付したものである。）。
     　        　
［引用例１について］ 
（１ａ）「【請求項１】  
タンク内のヒータを所定の試験通電時間だけ試験通電させる判別手段を備えてなり、該判別手段は、試験通電後のヒータの近傍におけるタンクの外面の温度上昇を監視して空焚き状態を判別する
【請求項２】  
前記判別手段は、タンクにヒータを取り付けるフランジの外面の温度を測定する
【請求項３】  
前記判別手段は、所定の監視時間に亘って試験通電後の温度上昇を監視する
【請求項４】  
前記判別手段は、試験通電の開始時に測定する温度を基準温度として温度上昇を算出する
【請求項５】  前記判別手段は、監視時間内において所定の時間間隔ごとに温度上昇を監視することを特徴とする請求項１ないし請求項４のいずれか記載の電気温水器の空焚き防止装置。」（特許請求の範囲。下線は当審が付与。以下同様。）
 　 　 
（１ｂ）「【発明の属する技術分野】 
　この発明は、
タンク内のヒータを破損させることなく、電気温水器の空焚き状態を適確に検出することができる
 　 　 　　 
（１ｃ）「【０００４】 
【発明が解決しようとする課題】かかる従来技術によるときは、監視手段は、連続通電中のヒータによるタンクの温度上昇を監視しているため、ヒータからの熱伝導の遅れ時間等により、タンク内に水がない場合であっても、それを検出するに必要なヒータの通電時間が過大となり、ヒータが過大に温度上昇してヒータ自体が破損してしまうおそれがある上、温度過昇防止装置が作動するため、それを手動復帰させなければ再起動ができず、再起動操作が煩雑であるという問題があった。 
【０００５】そこで、この発明の目的は、ヒータを所定の試験通電時間だけ試験通電させることによって、ヒータを破損させてしまうおそれがなく、再起動操作が極めて簡単である電気温水器の空焚き防止装置を提供することにある。」　 
 　　 　 　 
（１ｄ）「【０００９】 
 【作用】かかる発明の構成によるときは、
判別手段は、所定の試験通電時間だけヒータを試験通電させた後、ヒータの近傍におけるタンクの外面の温度上昇を監視することによって、ヒータを過大に過熱させることなく、タンク内の水の有無を判別してヒータの空焚き状態を判別する
 　 　 　 
（１ｅ）「【００１２】判別手段は、試験通電の開始時に測定する温度を基準温度とすることにより、基準温度からの温度上昇を算出することができ、外気温に拘らず、ヒータの空焚き状態を一層正確に検出することができる。ただし、試験通電の開始時とは、試験通電の開始直前または開始直後のいずれであってもよいものとする。 」  
 
（１ｆ）「【００１３】判別手段は、
所定の時間間隔ごとに温度上昇を監視し、過大な温度上昇を検出することにより、監視時間の経過前であっても、ヒータの空焚き状態を外部に表示する
             　
（１ｇ）「【００１７】判別手段１１の出力は、試験通電指令信号Ｓt としてヒータ制御手段２２に引き出され（図１）、異常信号Ｓ2 として、警報ランプやブザー等の警報器２３に引き出されている。また、判別手段１１の別の出力は、正常信号Ｓ1 として、図示しない沸上げ制御装置に引き出されている。なお、判別手段１１には、設定器１１ａ、時間設定器１１ｂが付設されている。設定器１１ａには、規定温度差ΔＴo が設定され、時間設定器１１ｂには、試験通電時間ｔa 、監視時間ｔb 、時間間隔ｔc が設定されている。ヒータ制御手段２２の出力は、タンク３１内のヒータ３２に接続されている。なお、ヒータ制御手段２２には、図示しない沸上げ制御装置からの沸上げ制御信号Ｓb が入力されており、空焚き防止装置１０には、沸上げ制御装置からの試験指令信号Ｓa が入力されている。」
　 　 　 
（１ｈ）「【００１９】図３のプログラムは、まず、試験通電指令信号Ｓt をヒータ制御手段２２に出力し（図３のプログラムステップ（１）、以下、単に（１）のように記す）、ヒータ制御手段２２を介してヒータ３２に試験通電を開始する（図４の時刻ｔ＝ｔo ）。次に、プログラムは、温度センサＴＳを介して試験通電直後のフランジ３３の外面の温度Ｔを測定し、温度Ｔを基準温度Ｔa として記憶するとともに（２）、時間設定器１１ｂに設定する試験通電時間ｔa の経過を待って（３）、試験通電指令信号Ｓt を停止してヒータ３２の試験通電を終了させる（（４）、図４の時刻ｔ＝ｔ1 ）。」 　 
                　
（１ｉ）「【００２０】つづいて、プログラムは、フランジ３３の温度Ｔを測定し（５）、フランジ３３の温度上昇ΔＴ＝Ｔ−Ｔa を算出して温度上昇ΔＴ≦ΔＴo であるか否かをチェックする（６）。その後、プログラムは、温度上昇ΔＴ≦Ｔo であり（６）、時間設定器１１ｂからの監視時間ｔb の経過前である限り（７）、時間間隔ｔcごとに（８）、同一動作を繰り返す（（８）、（５）〜（８））。なお、規定温度差ΔＴo は、たとえば５deg に設定し、時間間隔ｔc は、たとえば１〜１０秒程度に設定すれば十分である。すなわち、プログラムは、監視時間ｔb に亘って、所定の時間間隔ｔc ごとにフランジ３３の温度Ｔを測定し、温度上昇ΔＴ＝Ｔ−Ｔa を監視することができる。」
　 　 　 　 
（１ｊ）「【００２１】プログラムは、温度上昇ΔＴ≦ΔＴo のまま監視時間ｔb が経過したときは（（７）、図４の時刻ｔ＝ｔ2 ）、ヒータ３２が空焚き状態でないと判断し、正常信号Ｓ1 を沸上げ制御装置に出力して終了する（９）。そこで、このときの沸上げ制御装置は、ヒータ制御手段２２に沸上げ制御信号Ｓb を出力することにより、通常の沸上げ動作に移行し、ヒータ３２を介してタンク３１内の水を沸き上げることができる（図４の時刻ｔ＞ｔ2 ）。一方、プログラムは、監視時間ｔb 内において温度上昇ΔＴ＞ΔＴo を検出すると（（６）、図４の時刻ｔ＝ｔ1a）、タンク３１内に水が貯留されておらず、ヒータ３２が空焚き状態にあると判断し、異常信号Ｓ2 を警報器２３に出力する（１０）。そこで、
警報器２３は、ヒータ３２の空焚き状態を外部に警報表示する
 　 
（１ｋ）「【００２２】なお、
警報器２３が作動した場合は、給水管３１ａを介してタンク３１に水を貯留し、電源を入切操作することによって沸上げ制御装置からの試験指令信号Ｓa を再出力させて空焚き防止装置１０を再動作させ、ヒータ３２が空焚き状態にないことを確認して通常の沸上げ動作に移行させる
　　
　上記記載事項１ａ〜１ｋ及び図面を総合して、電気温水器の空焚き防止方法に着目すると、引用例１には、次の発明（以下「引用発明」という。）が記載されている。 
               　
「判別手段を備え、該判別手段は、タンク内のヒータを所定の試験通電時間だけ試験通電させ、該判別手段は、タンクにヒータを取り付けるフランジの外面の温度を測定して、所定の監視時間に亘って試験通電後のヒータの近傍におけるタンクの外面の温度上昇を監視して、試験通電の開始時に測定する温度を基準温度として温度上昇を算出して、所定の時間間隔ごとに温度上昇を監視して、タンク内の水の有無を判別し、過大な温度上昇を検出することにより、監視時間の経過前であっても、警報器は空焚き状態を外部に警報表示し、警報器が作動した場合は、給水管を介してタンクに水を貯留し、ヒータが空焚き状態にないことを確認して通常の沸上げ動作に移行させる、電気温水器の空焚き防止方法。」
  
［引用例２について］ 
　引用例２（欧州特許出願公開第０１３９３９５号明細書）には、図面と共に以下の事項が記載されている。 
 　 　 
（２ａ）「The present invention relates to water-heating apparatus and, more, particularly, to so-called self-feeding water-heating boilers having an automatic water supply feed system which are designed to produce boiling or near-boiling water for delivery or dispensing on demand. Such water-heating boilers are, for example, commonly used in the catering industry to provide boiling water for making tea and other beverages.」（本発明は、水加熱装置に関し、特に、オンデマンドですぐに利用できるように、自動給水システムを備えた、沸騰したあるいはほぼ沸騰した温水を得るために設計された所謂セルフ供給タイプの給湯器に関するものである。そのような給湯器は、例えば、一般にお茶や他の飲料を作るための熱湯を提供するために、外食産業で使用される。）（第１ページ第１〜７行） 
 　              　
（２ｂ）「Referring first to FIGURES 1 to 3 of the drawings, the boiler of the first embodiment illustrated therein comprises an outer casing 10, suitable for bench or counter-top mounting or wall mounting, housing a main boiling chamber 12, an overhead steam condenser vessel 14, and a cistern type fresh water feed tank 16 and other associated components.」（図１〜３を参照するに、図示される第１の実施形態の給湯器は、台やカウンタートップまたは壁面に取り付けるのに適した外部ケーシング１０を有し、外部ケーシング１０はその中の沸騰室１２、上部の蒸気凝縮容器１４、貯水タンク形式の水供給タンク１６及びその他の関連するコンポーネントを収容している。）（第４ページ第１２〜１６行） 
 　 　           　
（２ｃ）「The boiling chamber 12 is provided by a tinned copper tank of generally rectangular form fitted towards the bottom with an inwardly- extending horizontally disposed electric immersion heater element 18 which incorporates a thermal cut-out switch and provides the heating source. At a slightly higher level, an outlet tube 20 leads to a draw-off tap 22 at the front which is at a suitable height above a forwardly-projecting base 24 as to permit easy access for filling teapots or other receptacles when the unit is in position on a counter-top.」（沸騰室１２は、その室内内側に伸びて水平に配置され、温度過昇防止装置を備えた、加熱源として作用する浸漬ヒータ素子１８を底部に取付けられていて、概して長方形の形状の錫メッキされた銅タンクである。ユニットがカウンターに設置された際に、ティーポットや他の容器にお湯を充填するために容易にアクセス可能とするために、取り出し配管２０は、前方に突出したベース２４上の少し高い、適切な高さ位置で、お湯を取り出す蛇口２２に接続されている。）（第４ページ第１８〜２６行）  
 　 　           　
（２ｄ）「Feed tank 16 forms part of an intermediate feeder arrangement for transfering fresh incoming water from the condenser vessel 14 to the boiling chamber 12 for filling and replenishing the latter, a water outlet 43 in the bottom of this tank being connected to the boiling chamber by way of a delivery pipe 44 having a U-shaped loop (to prevent hot water convection currents) arranged to introduce the fresh water into the boiling chamber at a level slightly above but close to the immersion heater element 18 and below the draw-off tube 20, as shown.」（水供給タンク１６は、沸騰室１２を満たし、補充するために、凝縮容器１４から沸騰室１２に、入ってくる水を移すための中間供給装置の配列の一部を形成している。水供給タンク１６の低部の水出口４３は、浸漬ヒータ素子１８より少し上で、近接して、取り出し配管２０より下の位置に、Ｕ型の湾曲部（熱水の対流を防止するため）を備えた配管４４を通して沸騰室１２に接続されている。）（第６ページ第４〜１２行） 
 　 　 
（２ｅ）「The feed tank 16 also contains a level sensor 48, conveniently a pivoted float-operated reed switch device, which sets the maximum level of water therein, and in the boiling chamber with which the feed tank 16 is in hydrostatic equilibrium, by being operatively connected in the electrical energising circuit of the solenoid water supply inlet valve 36. The feed tank 16 is also provided with a conventional overflow pipe 50.」（水供給タンク１６は、また、水供給タンク１６内の水の最大レベルを設定する水位センサ４８、都合良くはフロート作動リードスイッチを有し、そして、沸騰室ではフロート作動リードスイッチが吸水口電磁弁３６の通電回路に電気接続されることにより、水供給タンク１６が静水圧的に平衡したものとなっている。水供給タンク１６には、従来のオーバーフロー管５０が設けられている。）（第６ページ第１４〜２０行）  
 　 　 　 　 
（２ｆ）「
In operation, assuming the boiling chamber is initially empty, upon switching on the electrical power supply the heater element 18 rapidly heats up until its thermal cut-out trips and this has the effect of causing the solenoid valve 36 to be energised and to open. In consequence, water from the mains supply is then delivered via the condenser vessel 14 and intermediate feeder tank 16 to the boiling chamber 12 until the level therein reaches the heating element 18.
動作時には、沸騰室は最初空であると仮定して、電源をオンにすると、温度過昇防止装置が作動するまで浸漬ヒータ素子１８が急激に加熱され、そして吸水口電磁弁３６を励磁して開とする。その結果、主給水源からの水は、凝縮容器１４と中間水供給タンク１６とを経由して沸騰室１２に、水位レベルが浸漬ヒータ素子１８に達するまで供給される
 　　 　 
　上記記載事項２ａ〜２ｆ及び図面を総合して、給湯器の制御方法に着目すると、引用例２には、次の技術的事項（以下「引用例２記載の技術的事項」という。）が記載されている。 
 　 　             　
「電源をオンにすると、温度過昇防止装置が作動するまで浸漬ヒータ素子１８が急激に加熱され、 
温度過昇防止装置が作動すると吸水口電磁弁３６を励磁して開とし、沸騰室１２に、水位レベルが浸漬ヒータ素子１８に達するまで供給し、 
水の供給を遮断するために吸水口電磁弁３６を非励磁とし再閉鎖し、 
フル加熱パワーに復帰して、沸騰室内の水を急速に沸騰する、 
給湯器の制御方法。」 
                     　
 ４．対比・判断 
　本願発明と引用発明とを対比すると、各文言の意味、機能または作用等からみて、後者の「所定の試験通電時間」、「ヒータ」及び「タンク」は、それぞれ前者の「所定の長さの時間」、「加熱素子」及び「ボイラ」に相当する。 
　後者の「電気温水器」と、前者の「コーヒーメーカー」とは、ボイラにより加熱されたお湯を利用する装置という限りにおいて、一致している。
　後者の「タンク」は、タンク内の水の有無を判別されるものであり、前者の「水を収容するための容器」に相当し、後者の「ヒータ」が、前者の「水を所定の温度まで加熱するための加熱素子」に相当することは明らかである。 
　また、後者の「タンク内のヒータを所定の試験通電時間だけ試験通電させ」るステップは、前者の「１）所定の長さの時間、前記ボイラの前記加熱素子を稼動させる第１のステップ」に相当する。　
　上記第１のステップの後の、後者の「判別手段は、タンクにヒータを取り付けるフランジの外面の温度を測定して、所定の監視時間に亘って試験通電後のヒータの近傍におけるタンクの外面の温度上昇を監視」するステップは、ヒータを試験通電させた後の温度上昇を監視していて、温度特性を測定していることは明らかであるから、前者の「２）前記ボイラによって前記加熱素子の前記稼動の結果として示される温度特性のうち少なくとも１つの特性を測定する第２のステップ」に相当する。 
　さらに、上記第２のステップの後の、後者の「試験通電の開始時に測定する温度を基準温度として温度上昇を算出して、所定の時間間隔ごとに温度上昇を監視して、タンク内の水の有無を判別」するステップは、試験通電の開始時に測定する温度を基準温度として温度上昇を算出して、測定した温度の特性が、タンク内に水が有る場合の温度上昇であるのか、水が無い場合の温度上昇であるのかにより、タンク内の水の有無を確認しているので、前者の「３）前記測定された特性が、水で満たされたボイラの温度特性に関連した範囲内にあるのか又は空のボイラの温度特性に関連した範囲内にあるのかを確認する第３のステップ」に相当する。
　後者の「過大な温度上昇を検出することにより、監視時間の経過前であっても、警報器は空焚き状態を外部に警報表示し、警報器が作動した場合は、給水管を介してタンクに水を貯留」するステップは、過大な温度上昇を検出することは、タンク内に水が無い空のタンクの温度特性の範囲内にある場合といえ、この場合には、給水管を介してタンクに水を貯留するので空の状態ではなくなるから、タンク内を空の状態でヒータを作動させない態様であるといえるので、後者の上記ステップと、前者の「４）前記測定された特性が空のボイラの温度特性に関連した前記範囲内にあるようである場合にのみ、前記ボイラが空の状態で前記加熱素子を作動させない態様で、前記ボイラの前記容器を所定の量の水で満たす第４のステップ」とは、「４）前記測定された特性が空のボイラの温度特性に関連した前記範囲内にあるようである場合に、前記ボイラが空の状態で前記加熱素子を作動させない態様で、前記ボイラの前記容器を所定の量の水で満たす」ステップという限りにおいて、一致している。
　後者の「ヒータが空焚き状態にないことを確認して通常の沸上げ動作に移行させる」は、前者の 「５）前記ボイラの前記加熱素子を稼動させて前記ボイラの前記容器内の前記水を前記所定の温度まで加熱する第５のステップ」に相当する。
　また、後者の上記各ステップは、前者の「連続的なステップ」をなすことも明らかである。           　
　そうすると、両者は、次の点で一致する。 
 　          　
（一致点）　 
「ボイラにより加熱されたお湯を利用する装置の、水を収容するための容器及び前記水を所定の温度まで加熱するための加熱素子を有するボイラを動作させるための方法において、
１）所定の長さの時間、前記ボイラの前記加熱素子を稼動させる第１のステップと、
２）前記ボイラによって前記加熱素子の前記稼動の結果として示される温度特性のうち少なくとも１つの特性を測定する第２のステップと、
３）前記測定された特性が、水で満たされたボイラの温度特性に関連した範囲内にあるのか又は空のボイラの温度特性に関連した範囲内にあるのかを確認する第３のステップと、
４）前記測定された特性が空のボイラの温度特性に関連した前記範囲内にあるようである場合に、前記ボイラが空の状態で前記加熱素子を作動させない態様で、前記ボイラの前記容器を所定の量の水で満たす第４のステップと、
５）前記ボイラの前記加熱素子を稼動させて前記ボイラの前記容器内の前記水を前記所定の温度まで加熱する第５のステップと、
の連続的なステップを有する方法。」
 　 　 
　そして、両者は次の点で相違する。 
 　 　 
（相違点１） 
　ボイラにより加熱されたお湯を利用する装置について、本願発明ではコーヒーメーカーであるのに対して、引用発明では、電気温水器である点。 
 　 　 　 　 
（相違点２） 
　第４のステップにおいて、ボイラが空の状態で加熱素子を作動させない態様で、前記ボイラの容器を所定の量の水で満たすことが、本願発明は、測定された特性が空のボイラの温度特性に関連した範囲内にあるようである場合に
のみ
 　 　 
　そこで、上記各相違点について検討する。 
　　 　 　 
（相違点１の判断） 
　ボイラにより加熱されたお湯を利用する装置として、コーヒーメーカーは、本願優先日前周知の事項である（必要であれば、特開２００３−２９９５７７号公報、特開昭６２−１９４８１６号公報、実願昭６０−９４５９１号（実開昭６２−４２３０号）のマイクロフィルム、特開２０００−３００４３９号公報等参照。）。 
　そして、コーヒーメーカーのボイラにおいても、ボイラ内に水が無い場合の空焚きによりヒータが過大に温度上昇してヒータ自体が破損してしまうおそれがあることは技術常識であるといえる。
　また、本願発明においてボイラをコーヒーメーカーのものとして特定することは、単にボイラを適用する装置の種類の特定に過ぎない。
　したがって、引用発明のボイラにより加熱されたお湯を利用する装置として、前記周知のコーヒーメーカーに特定して適用することは、当業者が容易になし得たことである。 
　そして、引用発明をコーヒーメーカーに特定して適用することによって、格別な効果を奏するものとも認められない。 
　以上のとおりであるから、引用発明において、相違点１に係る特定事項を採用することは、当業者が容易になし得たことである。 
 　　 
（相違点２の判断） 　 
　本願発明が、第４のステップにおいて、ボイラが空の状態で加熱素子を作動させない態様で、前記ボイラの容器を所定の量の水で満たすことを、測定された特性が空のボイラの温度特性に関連した範囲内にあるようである場合に
のみ
　本願発明の特許請求の範囲の記載からは、「ボイラが空の状態で加熱素子を作動させない態様で、前記ボイラの容器を所定の量の水で満たす」ことを、単に、「測定された特性が空のボイラの温度特性に関連した範囲内にあるようである場合に」限定しているに過ぎす、それ以上の技術的意義があるとは認めることができない。
　また、発明の詳細な説明を参酌しても、「測定された特性が空のボイラの温度特性に関連した範囲内にあるようである場合に
のみ
　一方、引用発明も「過大な温度上昇を検出することにより、監視時間の経過前であっても、警報器は空焚き状態を外部に警報表示し、警報器が作動した場合は、給水管を介してタンクに水を貯留」していて、給水管を介してタンクに水を貯留すことを、タンク内に水が無い空のタンクの場合に行うことでは、本願発明と軌を一にしていて、仮に引用発明において空のタンクの場合に
のみ
　そうすると、本願発明において、第４のステップにおいて、ボイラが空の状態で加熱素子を作動させない態様で、前記ボイラの容器を所定の量の水で満たすことが、測定された特性が空のボイラの温度特性に関連した範囲内にあるようである場合に
のみ
　         　
　さらにいうと、引用例２記載の技術的事項の「沸騰室１２」及び「浸漬ヒータ素子１８」は、各文言の意味、機能または作用からみて、それぞれ本願発明の「ボイラ」及び「加熱素子」に相当し、引用例２記載の技術的事項の「温度過昇防止装置が作動すると吸水口電磁弁３６を励磁して開と」することは、「温度過昇防止装置」が作動した場合のみ、すなわち、測定された温度特性が空の沸騰室の温度特性に関連した範囲内である場合のみ、吸水口電磁弁を開とするといえるので、本願発明の「４）前記測定された特性が空のボイラの温度特性に関連した前記範囲内にあるようである場合にのみ、前記ボイラが空の状態で前記加熱素子を作動させない態様で、前記ボイラの前記容器を所定の量の水で満たす」ことに相当する。
　そして、ヒータを備えたボイラにおいて、ボイラ内に水が無い場合の空焚きによりヒータが過大に温度上昇してヒータ自体が破損してしまうおそれがあることは技術常識であり、ボイラの空焚きを回避しようとすることは、当業者が当然考慮することである。
　そうすると、引用発明において、ボイラが空の状態で加熱素子を作動させないとする引用例２記載の技術的事項を適用して、相違点２に係る構成とすることは当業者が容易になし得たことである。
　また、相違点２に係る構成を採用することによって、格別な効果を奏するものとも認められない。 
　　
　以上のとおり、引用発明において、相違点２は実質的な相違点ではない、又は、引用例２記載の技術的事項も参酌し、相違点２に係る構成を採用することは、当業者が容易になし得たことである。　 　 　 　 
　 
　さらに、相違点１及び相違点２に係る事項をあわせてみても、格別な効果を奏するとも認められない。 
 　 　 　 
 ５．以上のとおり、本願発明は、引用発明、引用例２に記載の事項及び周知の事項に基いて、当業者が容易に発明をすることができたものであるので、特許法第２９条第２項の規定により、特許を受けることができない。　
　したがって、本願は、他の請求項について検討するまでもなく拒絶すべきものである。
　よって、結論のとおり審決する。